(57)【要約】      （修正有）【課題】人体や衣服、その他の各種被写体へ貼り付け使用できるプリクラ（登録商標）式の転写シール作成装置を提供する。【解決手段】プリント基材シート受取り検知センサー（５０）の検知出力信号に基いて起動するベルトコンベヤ（２０）の回走駆動用モーター（２１）が、標章のプリントされたプリント基材シート（Ａ）を前方（Ｆ１）へ搬送中、その位置を検知した離型フィルム貼付けタイミングセンサー（５２）の出力信号に基いて、原反繰出し搬送用モーター（４６）を制御し、予じめ頭出し状態での一旦停止中にある原反（Ｒ）の離型フィルム（３１）が、ゴムローラー（３９）による上記基材シート（Ａ）への貼付け位置まで到達して、その先端部同士が正しく合致することとなるように、その上記モーター（４６）をベルトコンベヤ回走駆動用モーター（２１）と同期して回転させるように定めた。【選択図】図３
2019136873.tif 000002
【特許請求の範囲】
【請求項１】
吸水紙の表面に水溶性のアンダーコーティング層とインク受容性の透明なトップコーティング層とが積層一体化された枚葉型プリント基材シートの上記トップコーティング層へ、１個又は複数個の標章をプリントするプリンタ−と、
その標章がプリントされたプリント基材シートを上記プリンタ−から受け取って、前方へ一定速度で搬送するベルトコンベヤの回走駆動用ステッピングモーターと、
上記プリント基材シートとほぼ同じ大きさ・形状を有する多数の透明な離型フィルムが、連続する帯状の離型シートへ透明の粘着剤層を介して一定間隔おきに貼り付けられたロール原反の繰出しローラーと、
上記原反をその繰出しローラーから離型シート巻取りローラーまで、その下流側から引っ張る如く繰り出し搬送する駆動用のステッピングモーターと、
その原反繰出し搬送用ステッピングモーターにより上記原反繰出しローラーから前下方へ繰り出し搬送される中途位置において、上記原反を離型シート巻取りローラーに向かう後上方へ折り返すことにより、その原反の離型シートから離型フィルムを剥ぎ取るピールプレートと、
そのピールプレートにおける折返し用先端部の直前位置を水平に横架して、上記ベルトコンベヤでの前方へ搬送されて来た上記プリント基材シートと接触して連れ廻ることにより、上記ピールプレートでの剥ぎ取られた離型フィルムをプリント基材シートへ上方から、その標章の被覆状態に貼り付け圧着する離型フィルム貼付け用ゴムローラーと、
上記ベルトコンベヤの搬送始端側において、標章がプリントされたプリント基材シートの受け取りを検知した出力信号に基き、そのベルトコンベヤの回走駆動用ステッピングモーターを起動するプリント基材シート受取り検知センサーと、
上記原反繰出しローラーからピールプレートまで繰り出し搬送される途中において、その原反の貼り付けられるべき一定の位置にある離型フィルムを検知した出力信号に基き、その原反繰出し搬送用ステッピングモーターをその離型フィルムが上記ピールプレートの折返し用先端部又はその先端部から一定量だけ前下方へ張り出す基準位置まで搬送されて、一旦停止することとなるように制御する離型フィルム位置検知センサーと、
上記ベルトコンベヤの搬送終端側において、その搬送中にあるプリント基材シートの位置を検知した出力信号に基き、上記一旦停止中にある原反繰出し搬送用ステッピングモーターをベルトコンベヤ回走駆動用ステッピングモーターによるプリント基材シートの搬送速度と同期して回転させることにより、その原反の離型フィルムがプリント基材シートと正しく位置合わせされることとなるように制御する離型フィルム貼付けタイミングセンサーとを備えたことを特徴とする転写シールの作成装置。
【請求項２】
装置フレームの天板上に搭載したプリンタ−と、その装置フレームの枠内に設置されたベルトコンベヤとを、落下シュートにより作用的に連結して、
標章がプリントされたプリント基材シートを、そのプリンタ−の送り出し部から落下シュートに沿って、ベルトコンベヤの搬送始端部へ滑り落し移載させるように定めたことを特徴とする請求項１記載の転写シールの作成装置。
【請求項３】
落下シュートを扁平なトンネル型として、後下がりの上側傾斜路と逆な前下がりの下側傾斜路とが一定角度だけ屈折した連通状態に形成すると共に、
その後下がり上側傾斜路の下端部にプリント基材シートよりも若干大きな床穴を、前下り下側傾斜路の上端部に上記床穴とほぼ同じ大きさの天井穴を各々開口形成して、
上記落下シュートにおける途中の屈折部へ突き当ったプリント基材シートが、その床穴と天井穴を通じて自づと反転落下し、そのプリントされた標章の表向く状態としてベルトコンベヤの上面へ載り移るように定めたことを特徴とする請求項２記載の転写シールの作成装置。
【請求項４】
離型フィルム貼付け用ゴムローラーの設置高さを調整できるように定めると共に、
そのゴムローラーの手前位置へ別個なスチールローラーを平行に横架させて、そのスチールローラーの自重力により離型フィルムをピールプレートへ押圧するように定めたことを特徴とする請求項１記載の転写シールの作成装置。
【請求項５】
前下り傾斜状態にあるピールプレートの表面とベルトコンベヤの平面とが交叉する離型フィルム貼付け角度を３０〜３５度、好ましくは３３度に設定したことを特徴とする請求項１記載の転写シールの作成装置。
【請求項６】
プリント基材シートに複数の転写シール抜き取り用輪郭線となるミシン目を、その合計３層の貫通状態に加工しておき、
その輪郭線の区画内部へ標章を挿入状態にプリントするように定めたことを特徴とする請求項１記載の転写シールの作成装置。
【請求項７】
ロール原反における粘着剤層から表側の離型フィルムに比して、裏側の離型シートの方が軽く剥離し得るように、その剥離上の軽重差を与えたことを特徴とする請求項１記載の転写シールの作成装置。
【請求項８】
プリンタ−として、白色インクでのプリント可能なカラーレーザープリンタ−を採用したことを特徴とする請求項１記載の転写シールの作成装置。
【発明の詳細な説明】
【技術分野】
【０００１】
本発明は希望の標章（画像）を人体や衣服、バッグ、その他の目的とする各種被写体へ貼り付け使用できるプリクラ（登録商標）式の転写シール作成装置に関する。
【背景技術】
【０００２】
本発明者は特許文献１〜３に記載の転写シール用キットを提供している。その転写シール用キットは何れも希望の標章（画像）をプリントするためのプリント基材シートと、目的の被写体へ貼り付ける（転写する）ための両面粘着シートとの２部品から成り、使用者が家庭用のプリンターを使って、そのプリント基材シートに希望の標章（画像）をプリントした後、両面粘着シートの剥離紙を剥離して、上記プリント基材シートへ表側から貼り合わせ一体化し、その標章（画像）をカッターによって適当な大きさ・形状に切り抜いて、人体（皮膚）や衣服（布）、バッグ（皮革）などに貼り付け使用するようになっている。
【先行技術文献】
【特許文献】
【０００３】
【特許文献１】実用新案登録第３１９９３８８号公報
【特許文献２】特許第３２６６１９７号公報
【特許文献３】特開２００８−４９６０９号公報
【発明の概要】
【発明が解決しようとする課題】
【０００４】
ところが、上記転写シール用キットをなすプリン基材シートと両面粘着シートは、はがきサイズやＡ４サイズなどの互いに同じ大きさと形状を備えた枚葉形態品であるため、家庭用のインクジェットプリンターやレーザープリンターなどを使って、希望のオリジナルな標章（画像）を自動機械的にプリントできるとしても、両面粘着シートの離型紙を剥離する作業と、その剥離後の両面粘着シートを上記プリント基材シートへ、その表側から標章（画像）の被覆状態に貼り合わせる作業と、被写体への貼り付け転写使用時に、その標章（画像）を切り抜く作業とは、何れも人手作業として行わなければならず、甚だ煩らわしく面倒である。
【０００５】
その場合、特許文献１に記載の転写シール用キットに限っては、そのプリント基材シートに転写シール用切り抜き輪郭線（ミシン目）が予じめ加工されているため、人手による上記切り抜き作業を省くことができるが、それでも未だ両面粘着シートから離型紙を剥離する人手作業と、その剥離後の両面粘着シートをプリント基材シートへ表側から貼り合わせる人手作業とが必要であることに変りはなく、不便である。
【課題を解決するための手段】
【０００６】
本発明はこのような不便の解消を目的としており、その目的を達成するための新らしい転写シール作成装置として、請求項１では吸水紙の表面に水溶性のアンダーコーティング層とインク受容性の透明なトップコーティング層とが積層一体化された枚葉型プリント基材シートの上記トップコーティング層へ、１個又は複数個の標章をプリントするプリンタ−と、
【０００７】
その標章がプリントされたプリント基材シートを上記プリンタ−から受け取って、前方へ一定速度で搬送するベルトコンベヤの回走駆動用ステッピングモーターと、
【０００８】
上記プリント基材シートとほぼ同じ大きさ・形状を有する多数の透明な離型フィルムが、連続する帯状の離型シートへ透明の粘着剤層を介して一定間隔おきに貼り付けられたロール原反の繰出しローラーと、
【０００９】
上記原反をその繰出しローラーから離型シート巻取りローラーまで、その下流側から引っ張る如く繰り出し搬送する駆動用のステッピングモーターと、
【００１０】
その原反繰出し搬送用ステッピングモーターにより上記原反繰出しローラーから前下方へ繰り出し搬送される中途位置において、上記原反を離型シート巻取りローラーに向かう後上方へ折り返すことにより、その原反の離型シートから離型フィルムを剥ぎ取るピールプレートと、
【００１１】
そのピールプレートにおける折返し用先端部の直前位置を水平に横架して、上記ベルトコンベヤでの前方へ搬送されて来た上記プリント基材シートと接触して連れ廻ることにより、上記ピールプレートでの剥ぎ取られた離型フィルムをプリント基材シートへ上方から、その標章の被覆状態に貼り付け圧着する離型フィルム貼付け用ゴムローラーと、
【００１２】
上記ベルトコンベヤの搬送始端側において、標章がプリントされたプリント基材シートの受け取りを検知した出力信号に基き、そのベルトコンベヤの回走駆動用ステッピングモーターを起動するプリント基材シート受取り検知センサーと、
【００１３】
上記原反繰出しローラーからピールプレートまで繰り出し搬送される途中において、その原反の貼り付けられるべき一定の位置にある離型フィルムを検知した出力信号に基き、その原反繰出し搬送用ステッピングモーターをその離型フィルムが上記ピールプレートの折返し用先端部又はその先端部から一定量だけ前下方へ張り出す基準位置まで搬送されて、一旦停止することとなるように制御する離型フィルム位置検知センサーと、
【００１４】
上記ベルトコンベヤの搬送終端側において、その搬送中にあるプリント基材シートの位置を検知した出力信号に基き、上記一旦停止中にある原反繰出し搬送用ステッピングモーターをベルトコンベヤ回走駆動用ステッピングモーターによるプリント基材シートの搬送速度と同期して回転させることにより、その原反の離型フィルムがプリント基材シートと正しく位置合わせされることとなるように制御する離型フィルム貼付けタイミングセンサーとを備えたことを特徴とする。
【００１５】
また、請求項２では装置フレームの天板上に搭載したプリンタ−と、その装置フレームの枠内に設置されたベルトコンベヤとを、落下シュートにより作用的に連結して、
【００１６】
標章がプリントされたプリント基材シートを、そのプリンタ−の送り出し部から落下シュートに沿って、ベルトコンベヤの搬送始端部へ滑り落し移載させるように定めたことを特徴とする。
【００１７】
請求項３では落下シュートを扁平なトンネル型として、後下がりの上側傾斜路と逆な前下がりの下側傾斜路とが一定角度だけ屈折した連通状態に形成すると共に、
【００１８】
その後下がり上側傾斜路の下端部にプリント基材シートよりも若干大きな床穴を、前下り下側傾斜路の上端部に上記床穴とほぼ同じ大きさの天井穴を各々開口形成して、
【００１９】
上記落下シュートにおける途中の屈折部へ突き当ったプリント基材シートが、その床穴と天井穴を通じて自づと反転落下し、そのプリントされた標章の表向く状態としてベルトコンベヤの上面へ載り移るように定めたことを特徴とする。
０
【００２０】
請求項４では離型フィルム貼付け用ゴムローラーの設置高さを調整できるように定めると共に、
【００２１】
そのゴムローラーの手前位置へ別個なスチールローラーを平行に横架させて、そのスチールローラーの自重力により離型フィルムをピールプレートへ押圧するように定めたことを特徴とする。
【００２２】
請求項５では前下り傾斜状態にあるピールプレートの表面とベルトコンベヤの平面とが交叉する離型フィルム貼付け角度を３０〜３５度、好ましくは３３度に設定したことを特徴とする。
【００２３】
請求項６ではプリント基材シートに複数の転写シール抜き取り用輪郭線となるミシン目を、その合計３層の貫通状態に加工しておき、
【００２４】
その輪郭線の区画内部へ標章を挿入状態にプリントするように定めたことを特徴とする。
【００２５】
請求項７ではロール原反における粘着剤層から表側の離型フィルムに比して、裏側の離型シートの方が軽く剥離し得るように、その剥離上の軽重差を与えたことを特徴とする。
【００２６】
更に、請求項８ではプリンタ−として、白色インクでのプリント可能なカラーレーザープリンタ−を採用したことを特徴とする。
【発明の効果】
【００２７】
請求項１の上記構成によれば、プリント基材シート受取り検知センサーが標章のプリントされたプリント基材シートを、ベルトコンベヤに受け取った検知出力信号に基いて、そのプリント基材シート搬送用駆動源のステッピングモーターを起動させるようになっているため、ユーザーが本発明の転写シール作成装置を使用しない限り、その作成装置としては言わば電源オフの運転停止状態に保たれる。そのため、プリクラ（登録商標）式の転写シール作成装置として、省エネ効果やランニングコストの低減などに役立つ。
【００２８】
この点、例えば定形郵便物などの被着媒体にラベルを貼り付ける機械では、そのメーカーが工場での量産する業務用として、本発明の上記プリント基材シートに相当する被着媒体が、必らず一定間隔おきでの自動連続的に給送されることになるため、本発明の上記プリント基材シート受取り検知センサーは不要であり、使用法が異なる。
【００２９】
また、上記被着媒体にラベルを貼り付ける機械の場合、その被着媒体がベルトコンベヤに一定間隔おきでの整然と並び、その整然と必らず搬送されて来るため、本発明のように離型フィルム貼付けタイミングセンサーをプリント基材シートの搬送途上へ設置する必要はなく、本発明のような離型フィルム（ラベル）の搬送途上へ設置した離型フィルム位置検知センサーのみによって、その離型フィルム（ラベル）と被着媒体との位置合わせを行うことが可能である。
【００３０】
これに反して、本発明の転写シール作成装置では標章をプリントされたプリント基材シートが、何時ベルトコンベヤによって搬送されて来るか不明であり、その間隔もアットランダムのため、上記離型フィルム位置検知センサーのみならず、そのベルトコンベヤにおけるプリント基材シートの搬送途上に臨む離型フィルム貼付けタイミングセンサーも不可欠である。
【００３１】
つまり、離型フィルム位置検知センサーの出力信号に基いて原反繰出し搬送用ステッピングモーターを制御し、その原反の貼り付けられるべき一定位置（好ましくは先頭）にある離型フィルムを頭出し状態に保って一旦停止中、離型フィルム貼付けタイミングセンサーの検知出力信号により上記原反繰出し搬送用ステッピングモーターを、プリント基材シート搬送駆動用ステッピングモーターと同期させて、そのプリント基材シートと上記頭出し状態にある離型フィルムとを位置合わせするようになっているため、そのプリント基材シートの標章が離型フィルムによって、表側（上方）から正確な被覆状態に貼り付けられた転写シールを作成できるのである。
【００３２】
請求項２の構成を採用するならば、装置フレームの天板上にプリンタ−が搭載されており、その装置フレームの枠内にベルトコンベヤが設置されているため、転写シール作成装置の据付スペースを狭小化することができると共に、ユーザーにとって使いやすい据付高さ（背丈）に保てる効果がある。
【００３３】
その場合、請求項３の構成を採用するならば、プリンタ−によって標章が表向く（上向く）状態にプリントされたプリント基材シートを、落下シュートに沿ってベルトコンベヤの上面へ滑り落し移載させるも、その標章の表向く（上向く）姿勢状態を維持することができ、引き続く表側（上方）からの離型フィルムの貼り付けを支障なく円滑に行える効果がある。
【００３４】
また、請求項４の構成を採用するならば、原反の離型シート（セパレーター）から離型フィルムを確実に安定良く剥ぎ取ることができ、その剥ぎ取った離型フィルムをプリント基材シートへ無理なく円滑に貼り付け得る効果がある。
【００３５】
請求項５の構成を採用するならば、プリント基材シートの表面（トップコーティング層）へ離型フィルムを剥離ミスなく確実に貼り付けることができ、その剥離後に残った離型シート（セパレーター）をピールプレートの先端部（折返し点）によって、円滑に折り返し搬送し得る効果もある。
【００３６】
請求項６の構成を採用するならば、そのプリント基材シートに加工された複数の転写シール抜き取り用輪郭線（ミシン目）の区画内部へ、すべて異なる各種の標章をプリントすることができ、ユーザーの希望に対応して合理的な価格の転写シールを作成し得る効果がある。
【００３７】
更に、請求項７の構成を採用するならば、上記定形郵便物を被着媒体として、これに貼り付けられ、ユーザーよって剥離されることがないラベルと異なり、本発明の転写シール作成装置では被写体への貼り付け転写使用時、ユーザーによって剥離される離型フィルムであるため、その貼り付け転写使用するまでの間に、離型フィルムがいたずらに剥がれてしまって、標章の裸状態に露出し、汚損するおそれを予防することができる。
【００３８】
請求項８の構成を採用するならば、被写体における表面の色彩との関係次第では、標章の発色性が低下することもあり得るが、その標章のカラープリントと同時か、又はその後白色のカラープリントを施したり、更にはその標章の周辺にも白色のカラープリントを行ったりして、上記標章やその地色（背景色）を鮮明に発色させることができる。
【図面の簡単な説明】
【００３９】
【図１】本発明に係る転写シール作成装置の実施形態を示す全体概略側面図である。
【図２】図１の背面図である。
【図３】作用説明図である。
【図４】図１の部分拡大図であって、落下シュートを示している。
【図５】転写シールのプリント基材シートを抽出して示す斜面図である。
【図６】図５のプリント基材シートに標章をプリントした状態の斜面図である。
【図７】図６の拡大断面図である。
【図８】原反の一部を切り欠いて示す斜面図である。
【図９】図８の９−９線に沿う拡大断面図である。
【図１０】操作パネルの各種表示画面を示す正面図である。
【図１１】図３の部分拡大図であって、貼り付け作用過程を示している。
【図１２】図１１に後続する貼り付け作用過程の拡大説明図である。
【図１３】図１２に後続する貼り付け作用過程の拡大説明図である。
【図１４】図１３に後続する作成完了した転写シールの排出作用を示す拡大説明図である。
【図１５】図１４の作成完了した転写シールを示す断面図である。
【図１６】図１４の転写シールを被写体へ貼り付け転写した状態の断面図である。
【図１７】図１６の状態から吸水紙とアンダーコーティング層とが消失した転写シールの使用状態を示す断面図である。
【図１８】プリント基材シートの変形実施形態を示す図５に対応する斜面図である。
【図１９】図１８のプリント基材シートに標章をプリントした状態の拡大断面図である。
【図２０】図１９のプリント基材シートに離型フィルムを貼り付けることにより作成完了した転写シールの断面図である。
【図２１】図２０から任意な１個の転写シールを抜き取る状態の説明図である。
【図２２】プリント基材シートの別な変形実施形態を示す図１８に対応する斜面図である。
【図２３】図２２のプリント基材シートに標章をプリントした状態の拡大断面図である。
【図２４】図２３のプリント基材シートに離型フィルムを貼り付けることにより作成完了した転写シールの断面図である。
【図２５】図２４から任意な１個の転写シールを抜き取る状態の説明図である。
【図２６】図２５の転写シールを被写体へ貼り付け転写した状態の断面図である。
【図２７】図２６の状態から吸水紙とアンダーコーティング層とが消失した転写シールの使用状態を示す断面図である。
【発明を実施するための形態】
【００４０】
以下、図面に基いて本発明の実施形態を詳述する。図１はそのプリクラ（登録商標）式転写シール作成装置の概略側面図、図２は図１の概略背面図、図３は作用説明図、図４は図１の部分拡大図である。
【００４１】
その図１〜４において、（Ｍ）は直方体型に枠組み一体化された剛性な装置フレームであり、その底枠（１０）の四隅部には据付高さの調整可能な脚座（１１）と、据付場所の移動可能なキャスター（１２）とが各々取り付けられている。
【００４２】
（Ｐ）は装置フレーム（Ｍ）の天板（１３）へ搭載状態に組付けユニット化されたカラープリンターであり、図示の実施形態では白色インクでのプリント可能なカラーレーザープリンターを採用しているが、これに代るカラーインクジェットプリンターやカラー静電複写機などを採用しても良い。
【００４３】
何れにしても、プリンター（Ｐ）には一定な大きさ（例えばはがきサイズやＡ５サイズ）の枚葉型をなすプリント基材シート（Ａ）が、好ましくはカートリッジ式に積み込みセットされている。
【００４４】
そのプリント基材シート（Ａ）は図５〜７に示す如く、５μｍ〜０．５ｍｍの厚みを有する吸水紙（１４）と、その吸水紙（１４）の表面全体へ３μｍ〜５μｍの厚みとして塗工されたアンダーコーティング層（１５）と、そのアンダーコーティング層（１５）の表面全体へ５μｍ〜１０μｍの厚みに塗工された透明なトップコーティング層（１６）との合計３層から成る。（Ｗ１）（Ｌ１）はそのプリント基材シート（Ａ）の一定な幅と長さを示している。
【００４５】
上記吸水紙（１４）は所謂吸い取り紙やその他の水を吸収する紙であり、これに積層されたアンダーコーティング層（１５）は、ポリビニルアルコール（商品名：ポバール）やポリビニルピロリドン、その他の水溶性（高吸水性）を有する合成高分子から成る。また、上記トップコーティング層（１６）はポリエチレンテレフタレートやナイロン、ポリプロピレン、その他のインクを定着できるインキ受容性（印刷特性）に富む熱可塑性ポリマーから成り、特にポリエチレンテレフタレートを採用することが好ましい。
【００４６】
そのため、使用者としてはパソコンやタブレット、スマートフォン（モバイル端末）、その他のユーザー通信端末（図示省略）により、希望のオリジナルな標章（Ｔ）を上記プリンター（Ｐ）に入力して、そのプリント基材シート（Ａ）における上記トップコーティング層（１６）の表面へ、その標章（Ｔ）をカラープリントすることができる。
【００４７】
ここに標章（Ｔ）とは文字、図形、記号又はこれらの結合と、色彩との結合を意味し、画像と換言しても良いが、これは図６、７に示すような１枚のプリント基材シート（Ａ）に、１個だけプリントされる場合のほか、図１８、１９に示すような複数個（図例では８個）の並列状態にプリントされることもある。
【００４８】
（１７）は上記装置フレーム（Ｍ）の底板（図示省略）に据え付け固定されたコンベヤ支持台であり、これにはベルト従動プーリー（１８）とベルト原動プーリー（１９）との前後一対が水平に軸架されている。しかも、その前後相互間には上記標章（Ｔ）のプリントされたプリント基材シート（Ａ）を搬送する無端なゴム製又は金属製のベルトコンベヤ（２０）が巻き掛けられている。
【００４９】
（２１）はそのベルトコンベヤ（２０）の循環回走用（プリント基材シートの搬送用）駆動源としてのステッピングモーターであって、上記コンベヤ支持台（１７）のサイド脚板部に取り付け固定されており、そのモーター出力プーリー（２２）と上記ベルト原動プーリー（１９）とがタイミングベルト（２３）を介して伝動連結されている。上記標章（Ｔ）がプリントされたプリント基材シート（Ａ）を、図３の矢印（Ｆ１）で示す前方へ搬送するようになっているのである。
【００５０】
尚、コンベヤ支持台（１７）の上面にはプリント基材シート（Ａ）の脱落を防ぐ左右一対の搬送ガイドが立設されているが、図示省略してある。
【００５１】
（Ｂ）は上記標章（Ｔ）のプリントされたプリント基材シート（Ａ）を、そのプリンタ−（Ｐ）から上記ベルトコンベヤ（２０）へ供給するためのプリント基材シート供給機構であり、図示実施形態では扁平なトンネル型の落下シュート（２４）から成る。
【００５２】
そのプリント基材シート用落下シュート（２４）は図４に抽出して示す如く、上記プリンタ−（Ｐ）の送り出し部（２５）とベルトコンベヤ（２０）の後端部（搬送始端部）との上下相互間を作用的に連結しており、上記標章（Ｔ）をプリントされたプリント基材シート（Ａ）が、そのプリンタ−（Ｐ）の送り出し部（２５）から落下シュート（２４）に沿い滑り落ちて、ベルトコンベヤ（２０）の上面へ載り移るようになっているのである。
【００５３】
その場合、プリンター（Ｐ）から出力されたプリント基材シート（Ａ）は、その標章（Ｔ）の表向く（上向く）状態として、ベルトコンベヤ（２０）の上面へ自づと正しく滑り落ちるように、上記落下シュート（２４）が後下がりの上側傾斜路（２４ａ）と逆な前下りの下側傾斜路（２４ｂ）との一定角度（α）（好ましくは約９０度）だけ屈折した連通状態に形成されており、しかもその後下がり上側傾斜路（２４ａ）の下端部には上記プリント基材シート（Ａ）よりも若干大きな床穴（２６ａ）が、逆な前下り下側傾斜路（２４ｂ）の上端部には上記床穴（２６ａ）とほぼ同じ大きさの天井穴（２６ｂ）が各々開口形成されている。
【００５４】
上記落下シュート（２４）における途中の屈折部（２４ｃ）へ突き当ったプリント基材シート（Ａ）が、その床穴（２６ａ）と天井穴（２６ｂ）を通じて、自づと反転（伏倒）落下し得るようになっているのである。上記落下シュート（２４）における前下りの下側傾斜路（２４ｂ）とベルトコンベヤ（２０）の上面（平面）とが交叉する角度（β）としては、１３０度の鈍角に設定することが望ましい。
【００５５】
尚、図示実施形態では上記プリント基材シート供給機構（Ｂ）を落下シュート（２４）として具体化することにより、転写シール作成装置の据付スペースを狭小化すると共に、使いやすい据付高さ（背丈）を確保しているが、その落下シュート（２４）に代る供給機構（Ｂ）として、例えばプリンタ−（Ｐ）を上記ベルトコンベヤ（２０）の後端部（搬送始端部）へ直接に、又は別個なベルトコンベヤやニップローラーなどを介して間接的に並列設置し、これにより上記標章（Ｔ）がプリントされたプリント基材シート（Ａ）を、そのプリンタ−（Ｐ）の送り出し部（２５）からベルトコンベヤ（２０）の上面へ移載させる如く供給しても良い。
【００５６】
更に、（２７）（２８）は上記装置フレーム（Ｍ）内の上段位置において、その壁板（２９）へ水平の片持ち状態に軸架された原反繰出しローラーとその離型シート（セパレーター）巻取りローラーとの前後一対であり、その離型シート巻取りローラー（２８）が上記ベルトコンベヤ（２０）における後側の上方に対応位置している一方、原反繰出しローラー（２７）が同じくベルトコンベヤ（２０）における前側の上方に対応位置している。
【００５７】
上記原反繰出しローラー（２７）から繰り出されるロール原反（Ｒ）は図８、９に示す如く、連続する帯状の離型シート（セパレーター）（３０）に枚葉型をなす多数の透明な離型フィルム（３１）が、同じ枚葉型の透明な粘着剤層（３２）を介して所定間隔（Ｄ）おきの点在分布状態に貼り付け（仮り付け）られた構成である。                        
【００５８】
その原反（Ｒ）の離型シート（セパレーター）（３０）は０．５ｍｍの厚みを有する不透明なロール紙から成り、これには緑色やその他の有彩色が施されているが、これに粘着剤層（３２）を介して貼り付けられた透明な離型フィルム（３１）は、１５μｍ〜２５μｍの厚みを有するポリエチレンテレフタレートやポリプロピレン、その他の合成樹脂ラミネートフィルムから成り、その離型フィルム（３１）と粘着剤層（３２）における枚葉型の大きさ（一定幅（Ｗ２）×一定長さ（Ｌ２））が上記プリント基材シート（Ａ）と同じか、又は望ましくは若干小さく寸法化されており、プリント基材シート（Ａ）の周囲から見苦しく張り出さないようになっている。尚、上記粘着剤層（３２）としてはアクリル系粘着剤が使用されており、その厚みは５μｍ〜１０μｍである。
【００５９】
更に言えば、上記離型フィルム（３１）の裏面にはシリコン系化合物の離型剤層（３３ａ）が２μｍの厚みとして塗工されている一方、上記離型シート（セパレーター）（３０）の表面には同じく離型剤層（３３ｂ）が４μｍの厚みとして塗工されており、上記粘着剤層（３２）から表側の離型フィルム（３１）に比して、裏側の離型シート（セパレーター）（３０）が軽く剥離し得るように、その離型剤層（３３ａ）（３３ｂ）における厚みの厚薄（塗工量の多少）により、剥離上の軽重差が与えられている。
【００６０】
つまり、原反（Ｒ）のロール紙である離型シート（セパレーター）（３０）から、表側に離型フィルム（３１）を貼り付けられた粘着剤層（３２）が先に剥離され、その剥離時には勿論のこと、その後作成完了できた転写シール（Ｓ）を被写体（Ｋ）へ貼り付け転写使用する時までは、その粘着剤層（３２）から表側の離型フィルム（３１）が容易に剥離せず、安定な貼り合わせ状態を確保できるように、その剥離力が強弱に相違変化されているのである。
【００６１】
しかも、その場合上記離型シート（セパレーター）（３０）から先に粘着剤層（３２）が剥離される界面については、その離型シート（セパレーター）（３０）の縦横方向又は対角線方向に沿い直交する格子（方眼）形態又は網形態の空気抜き用凹凸条（３３ｃ）として、粗面化しておくことが望ましい。
【００６２】
その離型シート（セパレーター）（３０）の剥離により露出した粘着剤層（３２）を介して、上記離型フィルム（３１）をプリント基材シート（Ａ）の表面へ貼り付ける時、その貼り付け面に滞溜又は封じ込められる空気を後述するゴムローラー（プレスローラー）の押圧力により、その凹凸条（３３ｃ）の凹状部から自づとすばやく確実に追い出して、皺寄り状態や波打ち状態となるおそれを予防できるからである。
【００６３】
（３４）は上記装置フレーム（Ｍ）内の中段位置において、その壁板（２９）への片持ち固定状態に架設されたローラー取付ステーであり、そのローラー取付ステー（３４）と上記壁板（２９）との向かい合う左右相互間に、原反用テンションローラー（３５）が水平に軸架されている。
【００６４】
（３６）は同じく装置フレーム（Ｍ）内の中段位置において、その壁板（２９）へ前下がり傾斜姿勢の片持ち固定状態に架設されたピールプレート取付枠であり、その上記原反用テンションローラー（３５）の前下方位置へ臨む中途部には、少なくとも１本の原反用ガイドローラー（３７）が平行に軸架されている。
【００６５】
また、（３８）は上記ピールプレート取付枠（３６）の前部に固定横架されたピールプレートであって、原反（Ｒ）を傷付けるおそれが無い平滑な金属板や硬質合成樹脂板から成り、そのピールプレート取付枠（３６）から前下方へ傾斜状態に張り出す側面視の三角形な先端部（折返し点）（３８ａ）が、図１１、１２に示唆する如く、これによって剥ぎ取られた離型フィルム（３１）の先端部と、上記ベルトコンベヤ（２０）により搬送されて来たプリント基材シート（Ａ）の先端部との接点（Ｘ）をほぼ指向する設置状態にある。
【００６６】
その接点（Ｘ）を通る仮想垂直線（Ｙ−Ｙ）上には、離型フィルム貼付け用のゴムローラー（プレスローラー）（３９）とベルトコンベヤ（２０）のベルト従動プーリー（１８）との上下一対が平行に軸架されており、その上側のゴムローラー（３９）が図１２、１３のように上記プリント基材シート（Ａ）の前進に伴って回転し（連れ廻り）、そのベルトコンベヤ（２０）での支持状態にあるプリント基材シート（Ａ）に対して、上記離型フィルム（３１）を無理なく円滑に貼り付けるようになっている。そのため、上記ゴムローラー（プレスローラー）（３９）の回転駆動源は存在せず、不要である。上記接点（Ｘ）を通る仮想垂直線（Ｙ−Ｙ）は、そのプリント基材シート（Ａ）に対する離型フィルム（３１）の貼付け位置を意味するのである。
【００６７】
その場合、上記ゴムローラー（３９）とベルト従動プーリー（１８）はコンベヤ支持台（１７）から一体的に垂立する支柱（図示省略）へ、何れも水平に横架されているが、特に上記接点（Ｘ）の上側に位置するゴムローラー（３９）だけは、その設置高さ（連れ廻り度合い／圧着力）を調整することができるようになっている。
【００６８】
そして、上記ピールプレート（３８）は図３や図１１〜１４のように、原反繰出しローラー（２７）から原反用テンションローラー（３５）と原反用ガイドローラー（３７）を経て、前下方（Ｆ２）へ屈曲する如く繰り出される原反（Ｒ）を、その先端部（折返し点）（３８ａ）により円滑に折り返して、その原反（Ｒ）の透明な離型フィルム（３１）を剥ぎ取り、その離型フィルム（３１）だけを上記ゴムローラー（３９）によってプリント基材シート（Ａ）の表面へ上方から、そのプリントされている標章（Ｔ）の被覆状態に貼り付ける一方、上記離型フィルム（３１）の剥離後に残る離型シート（セパレーター）（３０）を、逆な後上方へ搬送して、上記離型シート（セパレーター）巻取りローラー（２８）へ巻き取り回収するようになっている。
【００６９】
上記前下り傾斜状態にあるピールプレート（３８）の表面と、上記ベルトコンベヤ（２０）の上面（平面）とが交叉する角度（離型フィルム貼付け角度）（γ）については、粘着剤層（３２）の仕様（剥離性）やゴムローラー（３９）の配置、その他の諸条件との関係を総合的に考慮して適当に設定（調整）すれば良いが、試作テストでは３０度〜３５度、特に３３度である時に、原反（Ｒ）の離型フィルム（３１）を上記プリント基材シート（Ａ）のトップコーティング層（１６）へ剥離ミスなく円滑に貼り付けることができ、離型フィルム（３１）の剥離後に残った離型シート（セパレーター）（３０）も、上記ピールプレート（３８）の先端部（３８ａ）によって円滑・確実に折り返し搬送する効果を得られた。
【００７０】
尚、上記ピールプレート（３８）における先端部（３８ａ）の折返し角度（θ）は離型フィルム（３１）の貼付け角度（γ）よりも小さく、その折り返された離型シート（セパレーター）（３０）がプリント基材シート（Ａ）へ干渉しないように保たれている。
【００７１】
その場合、離型フィルム貼付け用ゴムローラー（３９）の手前位置（上流側）において、そのゴムローラー（３９）と並列するウエイト（自重力）付加用のスチールローラー（４０）を、やはりコンベヤ支持台（１７）から一体的に起立する図外の支柱へ軸架させ、これにより原反（Ｒ）を上記ピールプレート（３８）へ上方から押え付けることが好ましい。このウエイト（自重力）を付加するスチールローラー（４０）は、原反（Ｒ）の前進に伴って自転する（連れ廻る）。その原反（Ｒ）の離型フィルム（３１）を離型シート（セパレーター）（３０）から確実に安定良く剥ぎ取ることができ、その剥離ミスの予防に役立つからである。
【００７２】
上記離型シート（セパレーター）（３０）を後上方へ折り返し搬送する過程でのガイドローラー（４１）も、好ましくは前後一対などの複数本として、上記ピールプレート取付枠（３６）へ平行に軸架されている。
【００７３】
更に、（４２）は上記装置フレーム（Ｍ）内の中段位置において、その壁板（２９）への片持ち固定状態に架設されたローラー取付板であり、そのローラー取付板（４２）と上記壁板（２９）との向かい合う左右相互間には、離型シート用ニップローラー（４３）が水平に軸架されている。
【００７４】
そのニップローラー（４３）は上記離型シート巻取りローラー（２８）の下方位置にあり、これと相俟って離型シート（３０）を挟み付ける離型シート用テンションローラー（４４）も、上記ローラー取付板（４２）と壁板（２９）へ左右一対の吊持アーム（４５）を介して、両持ち状態に軸架されている。
【００７５】
（４６）は原反（Ｒ）を上記ピールプレート（３８）よりも下流側から引っ張る如く繰り出し搬送する駆動源のステッピングモーターであって、装置フレーム（Ｍ）における上記壁板（２９）の背面に取り付け固定されており、直接にはそのモーター出力軸（４７）によって上記離型シート用ニップローラー（４３）を回転駆動し、原反（Ｒ）の離型フィルム（３１）が剥離されて残る離型シート（セパレーター）（３０）を、その巻取りローラー（２８）へ自づと巻き取り回収するようになっている。
【００７６】
（４８）はその離型シート巻取りローラー（２８）と上記離型シート用ニップローラー（４３）との上下相互間に介在する離型シート用ガイドローラーであり、これも上記ローラー取付板（４２）と装置フレーム（Ｍ）における壁板（２９）との向かい合う左右相互間へ水平に軸架されている。
【００７７】
（４９）は上記ベルトコンベヤ（２０）の前端部（搬送終端部）に隣接する排出シュートであり、プリント基材シート（Ａ）に離型フィルム（３１）が貼り付けられて完成した転写シール（Ｓ）を、ベルトコンベヤ（２０）上から前下方へ排出するようになっている。
【００７８】
更に、（５０）は上記ベルトコンベヤ（２０）の後端側（搬送始端側）へ偏倚した位置に臨むプリント基材シート受取り検知センサーであって、反射型のフォトセンサー（光電スイッチ）から成り、そのコンベヤ支持台（１７）からベルトコンベヤ（２０）の上面に向かって固定横架された水平の支持バー（図示省略）へ下向き状態として、好ましくは左右方向への移動調整可能に取り付けられている。
【００７９】
そして、上記標章（Ｔ）をプリントされたプリント基材シート（Ａ）が、そのプリンタ−（Ｐ）から落下シュート（２４）を経てベルトコンベヤ（２０）の上面へ落下したことを、そのプリント基材シート受取り検知センサー（５０）が検知した出力信号に基いて、ベルトコンベヤ（２０）の循環回走用ステッピングモーター（２１）を起動するようになっている。そのステッピングモーター（２１）はプリント基材シート（Ａ）に対する離型フィルム（３１）の貼り付け後に、一旦停止するという間歇回転を行う。
【００８０】
他方、上記原反（Ｒ）がその繰出しローラー（２７）からピールプレート（３８）を経て、ベルト従動プーリー（１８）とゴムローラー（３９）が存在する前下方（Ｆ２）へ繰り出し搬送される通路の途中には、その原反（Ｒ）の貼り付けられるべき一定の位置（好ましく先頭）にある離型フィルム（３１）を検知する離型フィルム位置検知センサー（５１）が臨まされている。この位置検知センサー（５１）も反射型のフォトセンサー（光電スイッチ）から成り、上記ピールプレート取付枠（３６）から原反（Ｒ）の上面に向かって固定横架された水平の支持バー（図示省略）へやはり下向きとして、好ましくは左右方向への移動調整自在に取り付けられている。
【００８１】
そして、上記原反繰出しローラー（２７）から繰り出し搬送された先頭の離型フィルム（３１）を位置検知し、その検知した出力信号に基いて原反繰出し搬送用ステッピングモーター（４６）を制御し、その原反（Ｒ）における先頭の離型フィルム（３１）が後述の操作パネルにより予じめ設定された位置（基準位置）までの一定距離（移動量）だけ、前下方（Ｆ２）へ繰り出し搬送された後（頭出し後）、一旦停止状態で待機するようになっている。そのステッピングモーター（４６）が原反（Ｒ）を予じめの設定距離（移動量）だけ前進させた後、後述する離型フィルム貼付けタイミングセンサーからの検知出力信号を受けるまで、停止するという間歇回転を行うのである。
【００８２】
その場合、上記ピールプレート（３８）の先端部（折返し点）（３８ａ）を予じめ設定された位置（基準位置）として、ここまで原反（Ｒ）における先頭の離型フィルム（３１）を前進（所謂頭出し）させても良いが、その離型フィルム（３１）の先端部（前端部）をピールプレート（３８）の先端部（折返し点）（３８ａ）から僅かでも一定量（Ｚ）だけ張り出しておくことが望ましい。
【００８３】
この点、図３、１１では離型フィルム位置検知センサー（５１）の検知した位置にある離型フィルム（３１）から前に２つ目の離型フィルム（３１）が、ピールプレート（３８）の先端部（３８ａ）から一定量（Ｚ）だけ前下方へ張り出した基準位置にある頭出し状態を例示している。
【００８４】
そうすれば、その原反（Ｒ）の離型フィルム（３１）を離型シート（セパレーター）（３０）からミスなく円滑に剥離することができ、その剥離後の離型フィルム（３１）をプリント基材シート（Ａ）の表面へゴムローラー（３９）によって、一層確実に安定良く貼り付けることができるからである。
【００８５】
尚、離型フィルム位置検知センサー（５１）により原反（Ｒ）における先頭の離型フィルム（３１）を位置検知する旨として上記したが、その代りに離型フィルム（３１）同士の隣り合う間隙（所謂ドブ）を位置検知しても良い。
【００８６】
また、（５２）は上記ベルトコンベヤ（２０）の前端側（搬送終端側）へ偏倚した位置に臨む離型フィルム貼付けタイミングセンサーであって、やはり反射型のフォトセンサー（光電スイッチ）から成り、上記コンベヤ支持台（１７）からベルトコンベヤ（２０）の上面に向かって固定横架された水平の支持バー（図示省略）へ下向き状態として、望ましくは左右方向への移動調整自在に取り付けられている。
【００８７】
そして、上記ベルトコンベヤ（２０）により前方（Ｆ１）への搬送中にあるプリント基材シート（Ａ）の先端部又は後端部を、その貼付けタイミングセンサー（５２）が検知した出力信号に基いて、上記原反繰出し搬送用ステッピングモーター（４６）を制御し、上記頭出し状態での一旦停止中にある原反（Ｒ）の離型フィルム（３１）が、ゴムローラー（３９）によるプリント基材シート（Ａ）への貼付け位置（Ｙ−Ｙ）まで到達して、その先端部同士が正確に合致することとなるように、その原反繰出し搬送用ステッピングモーター（４６）をベルトコンベヤ循環回走用ステッピングモーター（２１）によるプリント基材シート（Ａ）の移動速度と同期して回転させるようになっている。
【００８８】
このような枚葉型をなす原反（Ｒ）の離型フィルム（３１）と、同じくプリント基材シート（Ａ）との位置合わせ制御を行うことにより、原反（Ｒ）の離型フィルム（３１）がロール紙の離型シート（セパレーター）（３０）から円滑・確実に剥ぎ取られて、上記ゴムローラー（３９）によりプリント基材シート（Ａ）のトップコーティング層（１６）へ、その標章（Ｔ）を表側から被覆する状態に正しく貼り付けられ、転写シール（Ｓ）として作成完了するようになっているのである。
【００８９】
更に、（５３）は上記装置フレーム（Ｍ）における壁板（２９）の背面に取り付け固定された制御盤（コントローラー）であり、これに設置されている図外のボリュームによって、上記ベルトコンベヤ（２０）の回走速度（プリント基材シートの搬送速度）を予じめ速く又は遅く設定（調整）できるようになっている。
【００９０】
（５４）は同じく装置フレーム（Ｍ）内における上記原反繰出しローラー（２７）の隣り位置へ、横方向から見やすく取り付けられた操作パネルであり、その図１０（Ｉ）のようなメイン画面（５４ａ）の指定個所をタッチすることによって、図１０（II)(III)(IV)のような３種の表示画面（５４ｂ）（５４ｃ）（５４ｄ）に切り替えることができるようになっている。
【００９１】
つまり、メイン画面（５４ａ）における「ＡＵＴＯ」の指定個所をタッチすれば、図１０（II）のような自動運転中の表示画面（５４ｂ）が現われ、更に「ＭＡＮＵ」の指定個所をタッチすれば、図１０（III)のような手動操作の表示画面（５４ｃ）が現われ、更に「ＰＲＭ」の指定個所をタッチすれば、図１０（IV）のような各種運転条件設定用の表示画面（５４ｄ）が現われるようになっている。
【００９２】
そして、自動運転中の表示画面（５４ｂ）には使用中の原反（Ｒ）における離型フィルム（３１）の枚数を示す数値が、順次減算するそれとして表示される。そのためこれを見て、新らしい原反（Ｒ）との交換タイミングを知ることができ、これに応じてプリント基材シート（Ａ）の補充タイミングも知ることができる。
【００９３】
また、自動運転を開始する当初やトラブル発生後の運転再開時、メンテナンスを行う時などには、手動操作用の表示画面（５４ｃ）上にある「コンベヤ送り」のスイッチボタンをオン・オフ操作することにより、プリント基材シート受取り検知センサー（５０）の検知出力信号に基くベルトコンベヤ（２０）の回走作用を確かめることができ、同じく表示画面（５４ｃ）上にある「同期」のスイッチボタンをオン・オフ操作して、原反繰出し搬送用ステッピングモーター（４６）の駆動を確かめることができ、更に上記表示画面（５４ｃ）上にある「フィルム／のり送り」のスイッチボタンをオン・オフ操作することにより、離型フィルム位置検知センサー（５１）の位置検知出力信号に基く離型フィルム（３１）の繰り出し搬送作用を確かめることができるようになっている。
【００９４】
更に、図１０の運転条件設定画面（５４ｄ）上に「フィルム／のり移動距離」とある指定個所のテンキー（５５）を操作して、離型フィルム位置検知センサー（５１）が離型フィルム（３１）の位置を検知した出力信号に基く離型フィルム（３１）の移動距離となる具体的な設定数値を入力でき、また同じく設定画面（５４ｄ）上に「フィルム／のり送り速度」とある指定個所のテンキー（５６）を操作して、上記離型フィルム（３１）の送り速度となる具体的な設定数値を入力できるようになっている。尚、上記プリント基材シート（Ａ）のベルトコンベヤ（２０）による送り速度が、制御盤（コントローラー）（５３）上のボリュームによって設定されることは既述のとおりである。
【００９５】
図示実施形態の転写シール作成装置は上記構成を備えており、予じめ不透明な離型シート（セパレーター）（３０）に多数の透明な離型フィルム（３１）を点在分布状態に貼り付けられた原反（Ｒ）が、図３に示唆する如く、その原反繰出しローラー（２７）から一旦前下方（Ｆ２）へ進み、途中のピールプレート（３８）を介して後上方へ折り返して、離型シート（セパレーター）巻取りローラー（２８）に達するまでの一連な巻き掛け状態に準備されており、上記ピールプレート（３８）よりも下流側に設置された原反繰出し搬送用ステッピングモーター（４６）によって、引っ張られる如く繰り出し搬送されるようになっている。
【００９６】
そこで、上記作成装置の使用により転写シール（Ｓ）を作成するに当っては、ユーザーがパソコンやタブレット、スマートフォン（携帯電話器）などの通信端末（図示省略）を用いて、そのユーザー通信端末側又は転写シール作成装置側に予じめ用意されている各種標章（Ｔ）を選択し、その選択した希望標章（Ｔ）のプリント指令を上記プリンタ−（Ｐ）へ受け渡せば（入力すれば）良い。
【００９７】
例えば、ユーザーが所持するスマートフォン（モバイル端末）を用いて、上記プリンタ−（Ｐ）によりプリントされるキャラクターやロゴマークなどの各種標章（Ｔ）を選択し、その転写シール作成装置のかざし部（図示省略）へ上記スマートフォンを臨ませ、これにより作成装置側においてＱＲコード（登録商標）を読み取り、その特定した標章（Ｔ）のプリントを、所定販売金額（硬貨）の投入を条件として行う方法が考えられる。
【００９８】
何れにしても、上記作成装置の搭載プリンタ−（Ｐ）には一定サイズの枚葉型をなすプリント基材シート（Ａ）が積み込みセットされているため、そのプリンタ−（Ｐ）によって希望の標章（Ｔ）が図６、７のように、そのプリント基材シート（Ａ）の表面（トップコーティング層）（１６）へプリントされることになり、そのプリントされたプリント基材シート（Ａ）はプリンタ−（Ｐ）の送り出し部（２５）から落下シュート（２４）に沿い滑り落ちて、そのベルトコンベヤ（２０）における搬送始端部（後端部）側の上面へ載ることになる。
【００９９】
その場合、落下シュート（２４）は図４のような下端部に床穴（２６ａ）を有する上側の後下がり傾斜路（２４ａ）と、逆な上端部に天井穴（２６ｂ）を備えた下側の前下り傾斜路（２４ｂ）とが、一定角度（α）だけ屈折した連通状態にあるため、上記標章（Ｔ）のプリントされたプリント基材シート（Ａ）は、その標章（Ｔ）の表向く（上向く）状態としてベルトコンベヤ（２０）に自づと載り移るのである。
【０１００】
尚、上記標章（Ｔ）が読めなければならない文字を含むなどの理由により、正画像と逆画像とを区別する必要がある場合に限っては、そのプリントは左右の反転する逆画像（鏡に映る姿）として行われることになる。
【０１０１】
そして、上記ベルトコンベヤ（２０）に載ったプリント基材シート（Ａ）の好ましくは先端部（前端部）が、そのプリント基材シート受取り検知センサー（５０）によって検知されると、その検知出力信号を受けたベルトコンベヤ（２０）の循環回走用ステッピングモーター（２１）が回転駆動して、上記標章（Ｔ）のプリントされたプリント基材シート（Ａ）を図３のように前方（Ｆ１）へ搬送する。
【０１０２】
そのステッピングモーター（２１）はプリント基材シート受取り検知センサー（５０）の検知出力信号を受けるまで停止中にあり、そのプリント基材シート受取り検知センサー（５０）の検知出力信号を受けてから、プリント基材シート（Ａ）に原反（Ｒ）の透明な離型フィルム（３１）が貼り付け完了するまでの間だけ、予じめ設定された一定速度のもとにプリント基材シート（Ａ）を搬送する。そのため、プリクラ（登録商標）式の転写シール作成装置として、そのユーザーが使用するまでは電源オフの運転停止状態に保たれるため、省エネ効果やランニングコストの低減などに役立つ。
【０１０３】
他方、原反繰出しローラー（２７）への巻き付け状態に差し込み装填されている原反（Ｒ）は、その原反繰出し搬送用ステッピングモーター（４６）により下流側からの引っ張り状態に繰り出されており、その連続する離型シート（セパレーター）（３０）における先頭の透明な離型フィルム（３１）が、上記ピールプレート（３８）に至るまでの途中へ臨まされた離型フィルム位置検知センサー（５１）によって位置検知されると、その検知出力信号を受けた上記原反繰出し搬送用ステッピングモーター（４６）が、その離型フィルム（３１）をそこから図１１のようにピールプレート（３８）の先端部（折返し点）（３８ａ）まで、又は好ましくはそのピールプレート（３８）の先端部（３８ａ）から一定量（Ｚ）だけ前下方（Ｆ２）へ張り出す位置（基準位置）までの頭出し状態として、操作パネル（５４）の運転条件設定画面（５４ｄ）上において予じめ設定された移動距離だけ、前下方（Ｆ２）へ繰り出して一旦停止し、その停止状態で待機するのである。
【０１０４】
上記先頭の離型フィルム（３１）がピールプレート（３８）の先端部（折返し点）（３８ａ）又はこれから一定量（Ｚ）だけ前下方（Ｆ２）へ張り出した位置（基準位置）として、その原反（Ｒ）の繰り出し搬送が一旦停止している間に、上記ベルトコンベヤ（２０）による前方（Ｆ１）への搬送中にあるプリント基材シート（Ａ）の先端部（前端部）又は後端部が、そのベルトコンベヤ（２０）の前端部（搬送終端部）側へ偏倚した位置に臨む離型フィルム貼付けタイミングセンサー（５１）によって検知されると、その検知出力信号を受けた上記原反繰出し搬送用ステッピングモーター（４６）が、上記離型フィルム（３１）の一旦停止位置（図１１）からゴムローラー（３９）による貼付け位置（Ｙ−Ｙ）（図１２）までの離型フィルム（３１）の移動を、上記ベルトコンベヤ（２０）によるプリント基材シート（Ａ）の同じく貼付け位置（Ｙ−Ｙ）までの移動と同期させ、その貼付け位置（Ｙ−Ｙ）において図１３のように、プリント基材シート（Ａ）の表面（トップコーティング層）（１６）へ上記原反（Ｒ）の透明な離型フィルム（３１）が、その標章（Ｔ）を表側（上方）から被覆する状態に正しく貼り付けられる。
【０１０５】
更に念のために言えば、上記貼付け位置（Ｙ−Ｙ）上に横架されている離型フィルム貼付け用ゴムローラー（プレスローラー）（３９）は、図１２から図１３のように、ベルトコンベヤ（２０）により前進して来たプリント基材シート（Ａ）並びに上記ピールプレート（３８）により剥ぎ取られた離型フィルム（３１）と接触し、その搬送に伴って自転する（連れ廻る）ことにより、プリント基材シート（Ａ）の表面へ上方から離型フィルム（３１）が、その枚葉型同士の正確に合致した状態として無理なく円滑に貼り付けられるのであり、その結果として作成完了した転写シール（Ｓ）は、図１４のように排出シュート（４９）から排出されるので、これを外部から入手すれば良い。
【０１０６】
その場合、原反（Ｒ）の連続する離型シート（セパレーター）（３０）は上記ピールプレート（３８）の先端部（折返し点）（３８ａ）において、図３や図１１〜１４のように自づと後上方へ折り返し搬送され、その離型シート（セパレーター）巻取りローラー（２８）に巻き取り回収されることとなる。その離型シート（セパレーター）（３０）の折り返しによって、これから上記離型フィルム（３１）が円滑・確実に剥ぎ取られることになる。
【０１０７】
図１５は上記転写シール作成装置によって作成完了した転写シール（Ｓ）を示しており、これは同図と先の説明から明白なように、吸水紙（１４）の表面へ水溶性のアンダーコーティング層（１５）とインク受容性の透明なトップコーティング層（１６）とが順次積層一体化された合計３層のプリント基材シート（Ａ）を備え、そのプリント基材シート（Ａ）の表面をなすトップコーティング層（１６）にプリントされた希望の標章（Ｔ）が、その表側（上方）から透明な粘着剤層（３２）を介して貼り付けられた透明な離型フィルム（３１）によって、被覆された状態の枚葉型である。
【０１０８】
その粘着剤層（３２）に対する離型フィルム（３１）の剥離力は、同じく粘着剤層（３２）に対する離型シート（セパレーター）（３０）の剥離力よりも重い（比較的容易に剥離しない）ため、これによって上記標章（Ｔ）を透視できる被覆状態に安定良く保てるのであり、いたずらに剥がれて標章（Ｔ）の裸状態に露出するおそれがない結果、その転写シール（Ｓ）を被写体（Ｋ）へ貼り付け転写使用するまでの間、支障なく便利に取り扱うことができる。
【０１０９】
そのため、このような製品としての転写シール（Ｓ）をユーザーが、自分の皮膚や衣服、バッグ、その他の目的とする各種被写体（Ｋ）へ貼り付け転写使用するに当っては、その透明の離型フィルム（３１）を剥ぎ取って、その露出した粘着剤層（３２）により上記転写シール（Ｓ）を、図１６のように被写体（Ｋ）の表面へ貼り付ける。
【０１１０】
そして、その貼り付けた結果として転写シール（Ｓ）における上記プリント基材シート（Ａ）の吸水紙（１４）が表向く状態になるため、その表側から所要量の水分を投与する。その投与は、例えばありふれたスポンジやティッシュペーパーなどに少量の水分を含浸させ、これにより吸水紙（１４）の存在する表側から濡らす程度で足りる。このような濡らすための用具は、上記転写シール作成装置の見やすい個所へ付属設置しておき、ユーザーに使わせることが望ましい。
【０１１１】
そうすれば、図１６と図１７との比較から明白なように、上記転写シール（Ｓ）におけるプリント基材シート（Ａ）の吸水紙（１４）とアンダーコーティング層（１５）との２層が、水分を吸収して柔軟化又は溶解するため、そのアンダーコーティング層（１５）とトップコーティング層（１６）との境界面が剥離界面となって、ここから吸水紙（１４）とアンダーコーティング層（１５）との２層を滑る如く、すばやく確実に剥離することができ、被写体（Ｋ）の表面には上記転写シール（Ｓ）の標章（Ｔ）を被覆したトップコーティング層（１６）だけが、貼り付け状態のままに残る結果となる。
【０１１２】
その最終的な被写体（Ｋ）への貼り付け転写使用状態は図１７に示すとおりであり、上記転写シール（Ｓ）におけるプリント基材シート（Ａ）のトップコーティング層（１６）は透明であるため、そのプリントされた標章（Ｔ）が逆画像であっても、その標章（Ｔ）を表側から正画像として、正しく読み取り透視することができる。
【０１１３】
しかも、上記トップコーティング層（１６）は極薄な１層であるに過ぎないため、被写体（Ｋ）の表面が均斉なフラット面のみならず、人体（皮膚）やゴルフボール、その他の曲面や凹凸粗面などであっても、これに馴染み良く屈曲変形して密着一体化し、その透明なトップコーティング層（１６）の貼り付け状態を肉眼で見ることさえも困難となり、あたかも標章（Ｔ）のみが転写された言わばタトウの印象を与え得るのである。
【０１１４】
先には、転写シール作成装置の作用（転写シールの作成法）と被写体（Ｋ）に対する転写シール（Ｓ）の貼り付け転写使用法とを簡略化して説明するための便宜上、その標章（Ｔ）が図５〜７のような１枚のプリント基材シート（Ａ）に、比較的大きな１個だけプリントされた図１５のような転写シール（Ｓ）を示したが、図１８〜２１の好適な変形実施形態に示す如く、一定な大きさ（例えばはがきサイズやＡ５サイズ）を備えた１枚のプリント基材シート（Ａ）につき、すべて同じ又は異なる複数個（図例では８個）の標章（Ｔ）がプリントされることもある。その複数個分の転写シール（Ｓ）が一挙同時に作成されるわけである。
【０１１５】
その場合には、複数個の転写シール（Ｓ）を１個づつ抜き取るための輪郭線（５７）が、例えば各標章（Ｔ）を囲む長方形や菱形、ハート形、花弁形などのミシン目として、予じめ合計３層の貫通状態に加工されたプリント基材シート（Ａ）を採用することが好ましい。
【０１１６】
そうすれば、ユーザーが刃物を使って、転写シール（Ｓ）を１個づつ切り抜き作業する必要がなく、上記輪郭線（５７）から図２１のように手先で抜き取れば良いので、その被写体（Ｋ）に対する貼り付け転写使用もすばやく行え、便利となる。尚、このような輪郭線（５７）の区画内部へ、上記パソコンやタブレット、スマートフォン（モバイル端末）などのユーザー通信端末を使って、希望の標章（Ｔ）を挿入状態にプリントすることも容易に行えることである。
【０１１７】
また、図２２〜２５は図１８〜２１と対応する転写シール（Ｓ）の別な変形実施形態を示しており、そのプリント基材シート（Ａ）の表面（トップコーティング層）（１６）へ標章（Ｔ）をカラープリントするに当って、被写体（Ｋ）における表面の色彩との関係次第では、その標章（Ｔ）の発色性が低下する（不鮮明になる）ことがあり得る。
【０１１８】
そのため、このような場合には図２２〜２６から明白なように、好ましくは白色インクでのプリント可能なカラーレーザープリンターを用いて、その標章（Ｔ）のカラープリントと同時か、又はその後に白色インクにより白色のプリントを施すことにより、図２７の転写使用状態から示唆されるように、その白色を地色又は背景色として、標章（Ｔ）の発色性を向上させることができる。同図の符号（５８）はその標章（Ｔ）の地色又は背景色となる白色プリント層を示している。
【０１１９】
更に、その標章（Ｔ）が例えば赤色の円形として、日本国旗の印象となる転写シール（Ｓ）を作成する場合には、図示省略してあるが、上記赤色にプリントされた標章（Ｔ）のみならず、その周辺にも白色のプリントを行うことにより、その標章（Ｔ）の赤色のみならず、白色の地色又は背景色も鮮明に極立たせることが望ましい。
【符号の説明】
【０１２０】
（１１）・脚座
（１２）・キャスター
（１３）・天板
（１４）・吸水紙
（１５）・アンダーコーティング層
（１６）・トップコーティング層
（１７）・コンベヤ支持台
（１８）・ベルト従動プーリー
（１９）・ベルト原動プーリー
（２０）・ベルトコンベヤ
（２１）・ステッピングモーター
（２３）・タイミングベルト
（２４）・落下シュート
（２４ａ）・後下がりの上側傾斜路
（２４ｂ）・前下がりの下側傾斜路
（２４ｃ）・屈折部
（２５）・送り出し部
（２６ａ）・床穴
（２６ｂ）・天井穴
（２７）・原反繰出しローラー
（２８）・離型シート（セパレーター）巻取りローラー
（３０）・離型シート（セパレーター）
（３１）・離型フィルム
（３２）・粘着剤層
（３３ａ）（３３ｂ）・剥離剤層
（３３ｃ）・凹凸条
（３４）・ローラー取付ステー
（３５）・原反用テンションローラー
（３６）・ピールプレート取付枠
（３７）・原反用ガイドローラー
（３８）・ピールプレート
（３８ａ）・先端部（折返し点）
（３９）・ゴムローラー（プレスローラー）
（４０）・スチールローラー
（４１）・離型シート用ガイドローラー
（４２）・ローラー取付板
（４３）・離型シート用ニップローラー
（４４）・離型シート用テンションローラー
（４５）・吊持アーム
（４６）・原反搬送駆動用ステッピングモーター
（４８）・離型シート用ガイドローラー
（５０）・プリント基材シート受取り検知センサー
（５１）・離型フィルム位置検知センサー
（５２）・離型フィルム貼付けタイミングセンサー
（５３）・制御盤（コントローラー）
（５４）・操作パネル
（５４ｂ）（５４ｃ）（５４ｄ）・表示画面
（５５）（５６）・テンキー
（５７）・抜き取り輪郭線（ミシン目）
（５８）・白色プリント層
（Ａ）・プリント基材シート
（Ｍ）・装置フレーム
（Ｐ）・プリンタ−
（Ｒ）・ロール原反
（Ｓ）・転写シール
（Ｔ）・標章
（Ｘ）・接点
（Ｚ）・張出し量
（Ｙ−Ｙ）・貼付け位置
（Ｆ１）（Ｆ２）・搬送方向
（α）・屈折角度
（γ）・離型フィルム貼付け角度
（β）・ピールプレートの折返し角度
【図１】
2019136873.tif 000003
【図２】
2019136873.tif 000004
【図３】
2019136873.tif 000005
【図４】
2019136873.tif 000006
【図５】
2019136873.tif 000007
【図６】
2019136873.tif 000008
【図７】
2019136873.tif 000009
【図８】
2019136873.tif 000010
【図９】
2019136873.tif 000011
【図１０】
2019136873.tif 000012
【図１１】
2019136873.tif 000013
【図１２】
2019136873.tif 000014
【図１３】
2019136873.tif 000015
【図１４】
2019136873.tif 000016
【図１５】
2019136873.tif 000017
【図１６】
2019136873.tif 000018
【図１７】
2019136873.tif 000019
【図１８】
2019136873.tif 000020
【図１９】
2019136873.tif 000021
【図２０】
2019136873.tif 000022
【図２１】
2019136873.tif 000023
【図２２】
2019136873.tif 000024
【図２３】
2019136873.tif 000025
【図２４】
2019136873.tif 000026
【図２５】
2019136873.tif 000027
【図２６】
2019136873.tif 000028
【図２７】
2019136873.tif 000029
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
吸水紙（１４）の表面に水溶性のアンダーコーティング層（１５）とインク受容性の透明なトップコーティング層（１６）とが積層一体化された枚葉型プリント基材シート（Ａ）の上記トップコーティング層（１６）へ、１個又は複数個の標章（Ｔ）をプリントするプリンター（Ｐ）と、
その標章（Ｔ）がプリントされたプリント基材シート（Ａ）を上記プリンター（Ｐ）から受け取って、前方（Ｆ１）へ一定速度で搬送するベルトコンベヤ（２０）の回走駆動用ステッピングモーター（２１）と、
上記プリント基材シート（Ａ）とほぼ同じ大きさ・形状を有する多数の透明な離型フィルム（３１）が、連続する帯状の離型シート（３０）へ透明の粘着剤層（３２）を介して一定間隔（Ｄ）おきに貼り付けられたロール原反（Ｒ）の繰出しローラー（２７）と、
上記原反（Ｒ）をその繰出しローラー（２７）から離型シート巻取りローラー（２８）まで、その下流側から引っ張る如く繰り出し搬送する駆動用のステッピングモーター（４６）と、
その原反繰出し搬送用ステッピングモーター（４６）により上記原反繰出しローラー（２７）から前下方（Ｆ２）へ繰り出し搬送される中途位置において、上記原反（Ｒ）を離型シート巻取りローラー（２８）に向かう後上方へ折り返すことにより、その原反（Ｒ）の離型シート（３０）から離型フィルム（３１）を剥ぎ取るピールプレート（３８）と、
そのピールプレート（３８）における折返し用先端部（３８ａ）の直前位置を水平に横架して、上記ベルトコンベヤ（２０）での前方（Ｆ１）へ搬送されて来た上記プリント基材シート（Ａ）と接触して連れ廻ることにより、上記ピールプレート（３８）での剥ぎ取られた離型フィルム（３１）をプリント基材シート（Ａ）へ上方から、その標章（Ｔ）の被覆状態に貼り付け圧着する離型フィルム貼付け用ゴムローラー（３９）と、
上記ベルトコンベヤ（２０）の搬送始端側において、標章（Ｔ）がプリントされたプリント基材シート（Ａ）の受け取りを検知し、その検知した出力信号に基いて上記ベルトコンベヤ（２０）の回走駆動用ステッピングモーター（２１）を起動するように制御するプリント基材シート受取り検知センサー（５０）と、
上記原反繰出しローラー（２７）からピールプレート（３８）まで繰り出し搬送される途中において、その原反（Ｒ）の貼り付けられるべき一定の位置にある離型フィルム（３１）を検知し、その検知した出力信号に基いて上記原反繰出し搬送用ステッピングモーター（４６）を、その離型フィルム（３１）が上記ピールプレート（３８）の折返し用先端部（３８ａ）又はその先端部（３８ａ）から一定量（Ｚ）だけ前下方（Ｆ２）へ張り出す基準位置まで搬送されて一旦停止することとなるように制御する離型フィルム位置検知センサー（５１）と、
上記ベルトコンベヤ（２０）の搬送終端側において、その搬送中にあるプリント基材シート（Ａ）の位置を検知し、その検知した出力信号に基いて上記一旦停止中にある原反繰出し搬送用ステッピングモーター（４６）を、上記ベルトコンベヤ回走駆動用ステッピングモーター（２１）によるプリント基材シート（Ａ）の搬送速度と同期して回転させることにより、その原反（Ｒ）の離型フィルム（３１）がプリント基材シート（Ａ）と正しく位置合わせされることとなるように制御する離型フィルム貼付けタイミングセンサー（５２）とを備えたことを特徴とする転写シールの作成装置。
【請求項２】
装置フレーム（Ｍ）の天板（１３）上に搭載したプリンター（Ｐ）と、その装置フレーム（Ｍ）の枠内に設置されたベルトコンベヤ（２０）とを、落下シュート（２４）により連結して、
標章（Ｔ）がプリントされたプリント基材シート（Ａ）を、そのプリンター（Ｐ）の送り出し部（２５）から落下シュート（２４）に沿って、ベルトコンベヤ（２０）の搬送始端部へ滑り落し移載させるように定めたことを特徴とする請求項１記載の転写シールの作成装置。
【請求項３】
落下シュート（２４）を扁平なトンネル型として、後下がりの上側傾斜路（２４ａ）と逆な前下がりの下側傾斜路（２４ｂ）とが一定角度（α）だけ屈折した連通状態に形成すると共に、
その後下がり上側傾斜路（２４ａ）の下端部にプリント基材シート（Ａ）よりも若干大きな床穴（２６ａ）を、前下がり下側傾斜路（２４ｂ）の上端部に上記床穴（２６ａ）とほぼ同じ大きさの天井穴（２６ｂ）を各々開口形成して、
上記落下シュート（２４）における途中の屈折部（２４ｃ）へ突き当ったプリント基材シート（Ａ）が、その床穴（２６ａ）と天井穴（２６ｂ）を通じて自ずと落下し、そのプリントされた標章（Ｔ）の表向く状態としてベルトコンベヤ（２０）の上面へ載り移るように定めたことを特徴とする請求項２記載の転写シールの作成装置。
【請求項４】
離型フィルム貼付け用ゴムローラー（３９）の設置高さを調整できるように定めると共に、
そのゴムローラー（３９）の上流側へ別個なスチールローラー（４０）を平行に横架させて、そのスチールローラー（４０）の自重力により離型フィルム（３１）をピールプレート（３８）へ押圧するように定めたことを特徴とする請求項１記載の転写シールの作成装置。
【請求項５】
前下がり傾斜状態にあるピールプレート（３８）の表面とベルトコンベヤ（２０）の平面とが交叉する離型フィルム貼付け角度（γ）を、３０〜３５度に設定したことを特徴とする請求項１記載の転写シールの作成装置。
【請求項６】
プリント基材シート（Ａ）に複数の転写シール抜き取り用輪郭線（５７）となるミシン目を、その合計３層の貫通状態に加工しておき、
その輪郭線（５７）の区画内部へ標章（Ｔ）をプリントするように定めたことを特徴とする請求項１記載の転写シールの作成装置。
【請求項７】
ロール原反（Ｒ）における粘着剤層（３２）から表側の離型フィルム（３１）に比して、裏側の離型シート（３０）の方が軽く剥離し得るように、その剥離上の軽重差を与えたことを特徴とする請求項１記載の転写シールの作成装置。
【請求項８】
プリンター（Ｐ）として、白色インクでのプリント可能なカラーレーザープリンターを採用したことを特徴とする請求項１記載の転写シールの作成装置。
【手続補正２】
【補正対象書類名】明細書
【補正対象項目名】００１２
【補正方法】変更
【補正の内容】
【００１２】
上記ベルトコンベヤの搬送始端側において、標章がプリントされたプリント基材シートの受け取りを検知し、その検知した出力信号に基いて上記ベルトコンベヤの回走駆動用ステッピングモーターを起動するように制御するプリント基材シート受取り検知センサーと、
【手続補正３】
【補正対象書類名】明細書
【補正対象項目名】００１３
【補正方法】変更
【補正の内容】
【００１３】
上記原反繰出しローラーからピールプレートまで繰り出し搬送される途中において、その原反の貼り付けられるべき一定の位置にある離型フィルムを検知し、その検知した出力信号に基いて上記原反繰出し搬送用ステッピングモーターを、その離型フィルムが上記ピールプレートの折返し用先端部又はその先端部から一定量だけ前下方へ張り出す基準位置まで搬送されて一旦停止することとなるように制御する離型フィルム位置検知センサーと、
【手続補正４】
【補正対象書類名】明細書
【補正対象項目名】００１４
【補正方法】変更
【補正の内容】
【００１４】
上記ベルトコンベヤの搬送終端側において、その搬送中にあるプリント基材シートの位置を検知し、その検知した出力信号に基いて上記一旦停止中にある原反繰出し搬送用ステッピングモーターを、上記ベルトコンベヤ回走駆動用ステッピングモーターによるプリント基材シートの搬送速度と同期して回転させることにより、その原反の離型フィルムがプリント基材シートと正しく位置合わせされることとなるように制御する離型フィルム貼付けタイミングセンサーとを備えたことを特徴とする。
【手続補正５】
【補正対象書類名】明細書
【補正対象項目名】００１５
【補正方法】変更
【補正の内容】
【００１５】
また、請求項２では装置フレームの天板上に搭載したプリンターと、その装置フレームの枠内に設置されたベルトコンベヤとを、落下シュートにより連結して、
【手続補正６】
【補正対象書類名】明細書
【補正対象項目名】００１９
【補正方法】変更
【補正の内容】
【００１９】
上記落下シュートにおける途中の屈折部へ突き当ったプリント基材シートが、その床穴と天井穴を通じて自ずと落下し、そのプリントされた標章の表向く状態としてベルトコンベヤの上面へ載り移るように定めたことを特徴とする。
【手続補正７】
【補正対象書類名】明細書
【補正対象項目名】００２１
【補正方法】変更
【補正の内容】
【００２１】
そのゴムローラーの上流側へ別個なスチールローラーを平行に横架させて、そのスチールローラーの自重力により離型フィルムをピールプレートへ押圧するように定めたことを特徴とする。
【手続補正８】
【補正対象書類名】明細書
【補正対象項目名】００２２
【補正方法】変更
【補正の内容】
【００２２】
請求項５では前下がり傾斜状態にあるピールプレートの表面とベルトコンベヤの平面とが交叉する離型フィルム貼付け角度を、３０〜３５度に設定したことを特徴とする。
【手続補正９】
【補正対象書類名】明細書
【補正対象項目名】００２４
【補正方法】変更
【補正の内容】
【００２４】
その輪郭線の区画内部へ標章をプリントするように定めたことを特徴とする。
【手続補正１０】
【補正対象書類名】明細書
【補正対象項目名】００５４
【補正方法】変更
【補正の内容】
【００５４】
上記落下シュート（２４）における途中の屈折部（２４ｃ）へ突き当ったプリント基材シート（Ａ）が、その床穴（２６ａ）と天井穴（２６ｂ）を通じて、自ずと伏倒落下し得るようになっているのである。上記落下シュート（２４）における前下がりの下側傾斜路（２４ｂ）とベルトコンベヤ（２０）の上面（平面）とが交叉する角度（β）としては、１３０度の鈍角に設定することが望ましい。